(57)【要約】【課題】天井用発光ダイオード灯具を提供する。【解決手段】天井用発光ダイオード灯具は、収容槽が嵌め込まれて設置される灯ベースと、収容槽に配置される電源モジュールと、収容槽の底壁に互いに離間し固定され、受け槽が設置されている複数の第１灯用締付具と、灯ベースの収容槽に取り外し可能に組み立てられ、外形が収容槽に対応してなり収容槽内に入り込む放熱棚を含む可動灯具と、放熱棚に互いに離間し固定され、互いに各第１灯用締付具に整列し、取り外し可能に対応的に第１灯用締付具に締め付けられる複数の第２灯用締付具と、を備える。複数の第２灯用締付具は、受け槽内に差し込まれ固定される差し込み部を有することを特徴とする。本発明の天井用発光ダイオード灯具における第１灯用締付具と第２灯用締付具によれば、可動灯具を灯ベースに速く固定されるのみならず、速く灯ベースから取り外すこともできる。【選択図】図３
2018067528.tif 000002
【特許請求の範囲】
【請求項１】
金属製支持材であり、収容槽が嵌め込まれて設置される灯ベースと、
前記灯ベースの前記収容槽に対応的に配置される電源モジュールと、
前記灯ベースの前記収容槽の底壁に互いに離間し固定され、前記収容槽の前記底壁に垂直に設置される受け槽が設置されてある複数の第１灯用締付具と、
前記灯ベースの前記収容槽に取り外し可能に組み立てられ、放熱棚と、発光ダイオード灯板と、笠と、二つの端板とを含む可動灯具と、
前記放熱棚に互いに離間し固定され、互いに前記各第１灯用締付具に整列し、取り外し可能に対応的に前記第１灯用締付具に締め付けられ、前記受け槽内に差し込まれ固定される差し込み部を有する複数の第２灯用締付具と、を備え、
前記放熱棚は、外形が前記収容槽に対応してなり、前記収容槽内に入り込み、
前記発光ダイオード灯板は、前記放熱棚に対応的に固定され、
前記笠は、外形が前記放熱棚に対応してなり、前記放熱棚に取り外し可能に固定され、
前記発光ダイオード灯板の照明側を覆い設置され、
前記端板はそれぞれ、前記放熱棚と前記笠により囲まれてなる管状通路の両端開口を封止し、且つ前記端板には、線孔と、前記線孔より取り外し可能なシールカバーとが設置されている、ことを特徴とする天井用発光ダイオード灯具。
【請求項２】
前記収容槽は、断面が矩形となる凹槽である、ことを特徴とする請求項１に記載の天井用発光ダイオード灯具。
【請求項３】
前記灯ベースの両端にはそれぞれ封止板が設置され、前記封止板が前記収容槽の両端を封止し、且つ前記封止板と前記端板が互いに整列し隣接し合う、ことを特徴とする請求項１に記載の天井用発光ダイオード灯具。
【請求項４】
前記受け槽が互いに対向している二つのクリップ材により構成され、且つ前記二つのクリップ材の中段が互いに対向し突出することで、クリップ部を形成し、
前記差し込み部には、前記差し込み部が前記受け槽に差し込まれる際に、前記クリップ部に対応的に締め付けられる突出部が設置されている、ことを特徴とする請求項１に記載の天井用発光ダイオード灯具。
【請求項５】
前記二つのクリップ材は弾性を有し、差し込み式のものである、ことを特徴とする請求項４に記載の天井用発光ダイオード灯具。
【請求項６】
前記放熱棚に対応的に固定される複数の安全ロープ用締付具をさらに含む、ことを特徴とする請求項１に記載の天井用発光ダイオード灯具。
【請求項７】
前記笠は、断面が弧状となる光透過型の樹脂押出部材である、ことを特徴とする請求項１に記載の天井用発光ダイオード灯具。
【請求項８】
前記封止板の側壁の縁部には第１形状対応部が設置されており、前記封止板に対応する、前記端板の側壁には第２形状対応部が設置されており、
前記第１形状対応部と前記第２形状対応部は、形状が互いに対応しており、
前記端板と前記封止板が互いに締め付け固定されて、シームレスの部位が形成されている、ことを特徴とする請求項３に記載の天井用発光ダイオード灯具。
【請求項９】
前記灯ベースは、本体及び二つの側翼部を有しており、
前記本体及び前記二つの側翼部はアルミ押出部材である、ことを特徴とする請求項１に記載の天井用発光ダイオード灯具。
【請求項１０】
前記本体の両側壁面には組合槽部が設置されており、
前記本体と接続する前記側翼部の壁面には組合ピースが設置されており、
前記組合ピースは、端部より前記組合槽部に入り込み締め付け固定されている、ことを特徴とする請求項９に記載の天井用発光ダイオード灯具。
【発明の詳細な説明】
【技術分野】
【０００１】
本発明は、天井用発光ダイオード（ＬＥＤ）灯具に関し、特に灯ベースに取り付け・取り外しすることが容易なＬＥＤ照明灯具に関する。
【背景技術】
【０００２】
近年、例えば特許文献１に記載されるように、発光ダイオード（ＬＥＤ）照明技術が発展してきている。特に白光ＬＥＤが現れると、ＬＥＤが光源又は照明製品として使用されることで、新しい時代が開かれた。ＬＥＤにおいて最大の、発展可能性がある市場と言える。ＬＥＤは、環境にやさしく、省エネルギー、高効率、長い使用寿命、小型の体積、及び速い反応性などの利点を有している。ＬＥＤは、伝統的な蛍光灯の欠点を回避でき、環境にやさしく、及びＣＯ2排出削減と省エネルギー効果の要求に応じることができるため、照明技術の領域の当業者は、伝統的な蛍光灯に代わり、ＬＥＤ灯具を盛んに開発し各種の照明技術の領域に使用している。ＬＥＤ照明技術は、２１世紀の光源として、伝統的な光源に代わり、主要な照明光源と使用されてきている。
【０００３】
図１と図２を参照する。図1と図２は、テント状の天井用灯ベース９０及び取り付け・取り外し可能な可動灯材８０により組み合わせられる、従来の灯具を示す図である。テント状の天井用灯ベース９０には、可動灯材８０を収容する一組の槽が設置されている。
【０００４】
しかしながら、可動灯材８０が一定の重量を有しているので、従来の技術には、テント状の天井用灯ベース９０に、可動灯材８０を対応し固定させるように、特殊規格の締付具９１を設置することがある。この締付具９１について、可動灯材８０を取り付ける・取り外す際に工夫をこらすので、一般の使用者にとって使用することは困難である。設計上の欠点と言ってもかまわない。
【０００５】
よって、発明者にとって、従来技術の欠点を改善し、産業上の利用性を増やすために、天井用発光ダイオード灯具を開発する必要がある。
【先行技術文献】
【特許文献】
【０００６】
【特許文献１】特開２０１５−０１８６２７号公報
【発明の概要】
【発明が解決しようとする課題】
【０００７】
本発明は上記の問題点に鑑みてなされたものであり、その目的は、従来技術の欠点を改善するために、新規性と進歩性と実用性などの要件を具する天井用発光ダイオード灯具を提供するものである。
【課題を解決するための手段】
【０００８】
本発明の一態様によれば、長形の金属製支持材であり、収容槽が嵌め込まれて設置される灯ベースと、前記灯ベースの前記収容槽に対応的に配置される電源モジュールと、前記灯ベースの前記収容槽の底壁に互いに離間し固定され、前記収容槽の前記底壁に垂直に設置される受け槽が設置されてある複数の第１灯用締付具と、前記灯ベースの前記収容槽に取り外し可能に組み立てられ、放熱棚と、発光ダイオード灯板と、笠と、二つの端板とを含む可動灯具と、前記放熱棚に互いに離間し固定され、互いに前記各第１灯用締付具に整列し、取り外し可能に対応的に前記第１灯用締付具に締め付けられ、前記受け槽内に差し込まれ固定される差し込み部を有する複数の第２灯用締付具と、を備える。それにおいて、前記放熱棚は、外形が前記収容槽に対応してなり、前記収容槽内に入り込み、前記発光ダイオード灯板は、前記放熱棚に対応的に固定され、前記笠は、外形が前記放熱棚に対応してなり、前記放熱棚に取り外し可能に固定され、前記発光ダイオード灯板の照明側を覆い設置され、前記端板はそれぞれ、前記放熱棚と前記笠により囲まれてなる管状通路の両端開口を封止し、且つ前記端板には、線孔と、前記線孔より取り外し可能なシールカバーとが設置されてなる、ことを特徴とする天井用発光ダイオード灯具を提供する。
【０００９】
好ましくは、前記収容槽は、断面が矩形となる凹槽である。
【００１０】
好ましくは、前記灯ベースの両端にはそれぞれ封止板が設置され、前記封止板が前記収容槽の両端を封止し、且つ前記封止板と前記端板が互いに整列し隣接し合う。
【００１１】
好ましくは、前記受け槽が互いに対向している二つのクリップ材により構成され、且つ前記二つのクリップ材の中段が互いに対向し突出することで、クリップ部を形成し、前記差し込み部には、前記差し込み部が前記受け槽に差し込まれる際に、前記クリップ部に対応的に締め付けられる突出部が設置されている。
【００１２】
好ましくは、前記二つのクリップ材は弾性を有し、差し込み式のものである。
【００１３】
好ましくは、前記放熱棚に対応的に固定される複数の安全ロープ用締付具をさらに含む。
【００１４】
好ましくは、前記笠は、断面が弧状となる光透過型の樹脂押出部材である。
【００１５】
好ましくは、前記封止板の側壁の縁部には第１形状対応部が設置されており、前記封止板に対応する、前記端板の側壁には第２形状対応部が設置されており、前記第１形状対応部と前記第２形状対応部は、形状が互いに対応しており、前記端板と前記封止板が互いに締め付け固定されて、シームレスの部位が形成されている。
【００１６】
好ましくは、前記灯ベースは、本体及び二つの側翼部を有しており、前記本体及び前記二つの側翼部はアルミ押出部材である。
【００１７】
好ましくは、前記本体の両側壁面には組合槽部が設置されており、前記本体と接続する前記側翼部の壁面には組合ピースが設置されており、前記組合ピースは、端部より前記組合槽部に入り込み締め付け固定されている。
【発明の効果】
【００１８】
本発明の天井用発光ダイオード灯具によれば、灯ベースの収容槽底壁には第１灯用締付具が設置され、及び可動灯具の放熱棚には第２灯用締付具が設置されている。そして、第１灯用締付具と第２灯用締付具とは、差し込むのみで互いに素早く差し込み固定される。つまり、可動灯具を灯ベースに速く固定することができ、速く灯ベースから取り外すことができる。これにより、従来技術の灯具を取り付ける・取り外す際に手間がかかるという問題を改善することができ、使用者がより便利に使用することができる。
【図面の簡単な説明】
【００１９】
【図１】従来の天井用発光ダイオード灯具を示す図である。
【図２】従来の天井用発光ダイオード灯具を示す図である。
【図３】本発明の天井用発光ダイオード灯具の構成を示す分解立体図である。
【図４】本発明の天井用発光ダイオード灯具の外観を示す図である。
【図５】本発明の天井用発光ダイオード灯具の一部分の外観を示す図である。
【図６】本発明の天井用発光ダイオード灯具の一部分の外観を示す図である。
【図７】本発明の天井用発光ダイオード灯具の一部分の外観を示す分解図である。
【図８】本発明の天井用発光ダイオード灯具の一部分の外観を、端から見た分解図である。
【発明を実施するための形態】
【００２０】
以下、本発明に係る実施形態について、図面を参照しながら具体的に説明する。
【００２１】
図３は、本発明の天井用発光ダイオード灯具の構成を示す分解立体図である。図４は、本発明の天井用発光ダイオード灯具の外観を示す図である。図３、図４を参照する。本発明は、天井用発光ダイオード灯具１を提供する。好ましい実施例として、天井用発光ダイオード灯具１は、灯ベース１０と、電源モジュール２０と、複数の第１灯用締付具３０と、可動灯具４０と、複数の第２灯用締付具５０と、複数の安全ロープ用締付具６０とを含む。
【００２２】
灯ベース１０は、断面がテント状となる長形の金属製支持材であり、灯ベース１０の両端を通り抜ける収容槽１１が嵌め込まれて設置される。収容槽１１は、断面が矩形となる凹槽であってもよい。灯ベース１０の両端にはそれぞれ封止板１２が設置され、封止板１２が収容槽１１の両端を封止している。なお、封止板１２には、線孔１２２と、線孔１２２より取り外し可能なシールカバー１２３とが設置されてなる。
【００２３】
電源モジュール２０は、灯ベース１０の収容槽１１に対応的に配置され、照明用電力を提供する。
【００２４】
図５は、本発明の天井用発光ダイオード灯具の一部分の外観を示す図である。図６は、本発明の天井用発光ダイオード灯具の一部分の外観を示す図である。図５、図６を参照する。複数の第１灯用締付具３０は、灯ベース１０の収容槽１１の底壁に互いに離間し固定される。第１灯用締付具３０には、収容槽１１の底壁に垂直に設置される受け槽３１が設置されてある。受け槽３１は、互いに対向している二つのクリップ材により構成され、且つ前記二つのクリップ材は弾性を有してもよく、二つのクリップ材の中段が互いに対向し突出することで、より狭いクリップ部３２を形成している。
【００２５】
可動灯具４０は、灯ベース１０の収容槽１１に取り外し可能に組み立てられ、放熱棚４１と、発光ダイオード灯板４２と、笠４３と、二つの端板４４とを含む。
【００２６】
放熱棚４１は、外形が収容槽１１に対応してなり、放熱金属製のアルミニウム押出型板材であり、収容槽１１内に入り込むことができる。発光ダイオード灯板４２は、放熱棚４１に対応的に固定され、電源モジュール２０に電気的に連接することで照明用電力を獲得する。笠４３は、断面が弧状となる光透過型の樹脂押出部材であり、外形が放熱棚４１に対応してなり、且つ放熱棚４１に取り外し可能に固定され、発光ダイオード灯板４２の照明側を覆い設置される。端板４４はそれぞれ、放熱棚４１と笠４３により囲まれてなる管状通路の両端開口を封止し、且つ封止板１２と端板４４が互いに整列し隣接し合っている。
【００２７】
複数の第２灯用締付具５０は、放熱棚４１に互いに離間し固定され、且つ互いに各第１灯用締付具３０に整列し、取り外し可能に対応的に第１灯用締付具３０に締め付けされる。第２灯用締付具５０は、受け槽３１内に差し込まれ固定する差し込み部５１を有する。差し込み部５１には突出部５２が設置されてあり、差し込み部５１が受け槽３１に差し込まれる際に、突出部５２がクリップ部３２に対応的に噛み付き締め付けされることで、しっかりと互いに連接する。
【００２８】
複数の安全ロープ用締付具６０は、放熱棚４１に対応的に固定され、安全ロープ７０により通り抜けられるようになっている。
【００２９】
図５に示したように、封止板１２の側壁の縁部には、第１形状対応部１２１が設置されており、封止板１２に対応する端板４４の側壁には、第２形状対応部４４１が設置されておる。第１形状対応部１２１と第２形状対応部４４１は、形状が互いに対応しているので、端板４４と封止板１２が互いに対応して締め付けられて、シームレスの部位を形成することができる。本実施形態では、第１形状対応部１２１は端板４４側に突出した凸部であり、第２形状対応部４４１は該凸部に対応する凹部である。
【００３０】
図７は、本発明の天井用発光ダイオード灯具の一部分の外観を示す分解図である。図８は、本発明の天井用発光ダイオード灯具の一部分の外観を、端から見た分解図である。図７、図８を参照する。灯ベース１０は、さらに本体１０１及び二つの側翼部１０２を有している。本体１０１は、アルミ押出部材で、三つの面を有し、長槽形部材であり、且つその両側壁面にはそれぞれ断面視Ｌ字形状をなす組合槽部１０１１がさらに設置されている。側翼部１０２は、本体１０１の両側に対応し延びて連接しており、アルミ押出部材から構成される翼片部材である。本体１０１と接続している側翼部１０２の壁面には、さらに組合ピース１０２１が設置されている。組合ピース１０２１は、端部より組合槽部１０１１に入り込み、そのうちに締め付けられている。
【００３１】
本発明の天井用発光ダイオード灯具によれば、灯ベース１０の収容槽１１底壁には第１灯用締付具３０が設置され、及び可動灯具４０の放熱棚４１には第２灯用締付具５０が設置されている。そして、第１灯用締付具３０と第２灯用締付具５０とは、差し込むのみで互いに素早く差し込み固定される。つまり、可動灯具４０を灯ベース１０に速く固定することができ、速く灯ベース１０から取り外すことができる。これにより、従来技術の灯具を取り付ける・取り外す際に手間がかかるという問題を改善することができ、使用者がより便利に使用することができる。
【００３２】
特に、灯ベース１０は、アルミ押出部材から構成されるので、鋼板から構成される従来の技術に比べて、灯具の長さに制限が無く、放熱性が向上し、より平らであり、外表面が優れ、及び強度がより高くなるなどの利点がある。さらにシームレスの締め付けにより、灯具全体がより一体化されて、統一感を向上させることができ、従来の技術が達することができないレベルにあるものである。
【符号の説明】
【００３３】
１                        天井用発光ダイオード灯具
１０                      灯ベース
１０１                    本体
１０１１                  組合槽部
１０２                    側翼部
１０２１                  組合ピース
１１                      収容槽
１２                      封止板
１２１                    第１形状対応部
１２２                    線孔
１２３                    シールカバー
２０                      電源モジュール
３０                      第１灯用締付具
３１                      受け槽
３２                      クリップ部
４０                      可動灯具
４１                      放熱棚
４２                      発光ダイオード灯板
４３                      笠
４４                      端板
４４１                    第２形状対応部
５０                      第２灯用締付具
５１                      差し込み部
５２                      突出部
６０                      安全ロープ用締付具
７０                      安全ロープ
８０                      可動灯材
９０                      テント状の天井用灯ベース
９１                      締付具
【図１】
2018067528.tif 000003
【図２】
2018067528.tif 000004
【図３】
2018067528.tif 000005
【図４】
2018067528.tif 000006
【図５】
2018067528.tif 000007
【図６】
2018067528.tif 000008
【図７】
2018067528.tif 000009
【図８】
2018067528.tif 000010